(57)【要約】      （修正有）【課題】事前に割り箸を嵌入することによって、割り箸が左右均等に割れるようになる割り箸の溝切器を提供する。【解決手段】割り箸５０の切り割５６後方の結合部５８を差し込んで結合部の切り割に直交する両面に切り割の延長方向に溝５２を切削するための割り箸の溝切器１は、本体部１０と本体部に設けられた割り箸が嵌入される孔部２０とを備え、孔部は割り箸が嵌入されたときに割り箸の切り割を包含する分割平面が通過する第一の内壁面と分割平面が通過する第二の内壁面とに対向する形態で設けられた第一の溝切刃３０と第二の溝切刃３２とを備え、嵌入された割り箸の結合部に切り割の延長方向に直線状の溝を切削する。【選択図】図１
2020130241.tif 000002
【特許請求の範囲】
【請求項１】
割り箸の切り割後方の結合部を差し込んで前記結合部の前記切り割に直交する両面に前記切り割の延長方向に溝を切削するための割り箸の溝切器であって、本体部と本体部に設けられた前記割り箸が嵌入される孔部とを備え、前記孔部は割り箸が嵌入されたときに割り箸の切り割を包含する分割平面が通過する第一の内壁面と前記分割平面が通過する第二の内壁面とに対向する形態で設けられた第一の溝切刃と第二の溝切刃とを有することを特徴とする割り箸の溝切器。
【請求項２】
割り箸の切り割後方の結合部を差し込んで前記切り割に直交する両面に前記切り割の延長方向に予め設けられている溝を深く切削するための割り箸の溝切器であって、本体部と
本体部に設けられた前記割り箸が嵌入される孔部とを備え、前記孔部は割り箸が嵌入されたときに割り箸の切り割を包含する分割平面が通過する第一の内壁面と、前記分割平面が通過する第二の内壁面とに対向する形態で設けられた第一の溝切刃と第二の溝切刃とを有し、前記第一の溝切刃と前記第二の溝切刃は割り箸の溝が通過する際に前記割箸の両方の溝をさらに深く切削するために、前記第一の溝切刃と前記第二の溝切刃の先端間の距離が前記割り箸の一方の溝と他方の溝の底部間の距離よりも小さいことを特徴とする割り箸の溝切器。
【請求項３】
前記第一の内壁面と前記第二の内壁面の前記孔部の開口部付近に前記割り箸の溝の位置を誘導するための溝位置ガイド突起が設けられたことを特徴とする請求項２に記載の割り箸の溝切器。
【発明の詳細な説明】
【技術分野】
【０００１】
本発明は、割り箸を割り易くするために割り箸の切り割後方の結合部に直線状の溝を切削するための割り箸の溝切器に関するものである。
【背景技術】
【０００２】
杉、松など木や竹を原材料として先端から半ば過ぎまで切り割をして、使用する際に２つに割って用いられる割り箸は、衛生的な利点があり飲食店や来客用に用いられている。
割り箸の種類としては、利休箸を模した「利休型」、角の部分を削った「小判型」、小判型にさらに手を加えて切り割部と切り割部後方の結合部に溝を付けた「元禄型」、角や溝を付けるという加工を全く行っていない「丁六型」がある。
そしてこの割り箸の使用時の短所を改善するために、例えば特許文献１に示される左右の割り箸の形状を軸対象とした割り箸が提案されている。
【先行技術文献】
【特許文献】
【０００３】
【特許文献１】特公平７−１６４６４号広報
【発明の概要】
【発明が解決しようとする課題】
【０００４】
しかしながら、現在提案されている割り箸に関する技術は、いずれも使用時の不具合を解消するためのものであり、割り箸を割るときの問題点を解消するものは提案されていない。
割り箸には、切り割が設けられおり、使用前に切り割を左右に引っ張って２つに割る動作が必須であるが、割り箸によっては結合部が最後まで割れずに、左右の箸の長さが異なってしまうことがある。
【０００５】
そこで、本発明は割り箸が左右均等に割れるように、割り箸の結合部に、切り割の延長方向の溝を切削する割り箸の溝切器を提供することを目的としている。
【課題を解決するための手段】
【０００６】
上記目的を達成するために、第１の本発明に係る割り箸の溝切器は、割り箸の結合部を挿入すると、割り箸の結合部に切り割の延長方向に溝ができる構造とした。
【０００７】
すなわち、第１の本発明は、割り箸の切り割後方の結合部を差し込んで結合部の切り割に直交する両面に切り割の延長方向に溝を切削するための割り箸の溝切器であって、本体部と本体部に設けられた割り箸が嵌入される孔部とを備え、孔部は割り箸が嵌入されたときに割り箸の切り割を包含する分割平面が通過する第一の内壁面と分割平面が通過する第二の内壁面とに対向する形態で設けられた第一の溝切刃と第二の溝切刃とを有することを特徴とする割り箸の溝切器である。
【０００８】
第1の本発明の割り箸の溝切器の孔部に割り箸の結合部を挿入していくと、内壁面に設けられた対向する一対の溝切刃によって、直線上の溝が形成される。この溝の効果により、割り箸を割るときは、溝に沿って割り箸を左右均等に割ることができる。
第１の本発明の本体部は木製でも金属製でも合成樹脂製でもよく、孔部は本体部を貫通してもよく、貫通ぜず孔部に底面があってもよい。そして、孔部の形状は嵌入される割り箸の結合部の断面形状によって決定される。本体部は孔部が形成できる限り、どのような形状であってもよい。
【０００９】
さらに第２の本発明は、割り箸の切り割後方の結合部を差し込んで切り割に直交する両面に切り割の延長方向に予め設けられている溝を深く切削するための割り箸の溝切器であって、本体部と本体部に設けられた割り箸が嵌入される孔部とを備え、孔部は割り箸が嵌入されたときに割り箸の切り割を包含する分割平面が通過する第一の内壁面と、分割平面が通過する第二の内壁面とに対向する形態で設けられた第一の溝切刃と第二の溝切刃とを有し、第一の溝切刃と第二の溝切刃は割り箸の溝が通過する際に割箸の両方の溝をさらに深く切削するために、第一の溝切刃と第二の溝切刃の先端間の距離が割り箸の一方の溝と他方の溝の底部間の距離よりも小さいことを特徴とする割り箸の溝切器である。
【００１０】
第２の本発明は、予め結合部の中央に長さ方向に溝が設けられている割り箸の溝をさらに深く切削するための割り箸の溝切器である。予め割り箸の結合部に溝が設けられている場合でも、その溝が浅い場合には、やはり割り箸が左右均等に割れない場合がある。第２の本発明はこのような現象を無くすために、割り箸の結合部に予め設けられた溝をさらに深く切削するためのものである。第一の溝切刃と第二の溝切刃の先端間の距離は２．５ｍｍが好ましい。割り箸の標準的な厚さが５ｍｍであるから、第一の溝切刃と第二の溝切刃の先端間の距離が２．５ｍｍよりも長いと、効果が減少し、２．５ｍｍよりも短いと割り箸の保管時における結合部の強度が不足する。
【００１１】
さらに第３の本発明は、第２の本発明の割り箸の溝切器において、第一の内壁面と第二の内壁面の孔部の開口部付近に割り箸の溝の位置を誘導するための溝位置ガイド突起が設けられたことを特徴とする溝切器である。孔部の開口部付近に溝位置ガイド突起が設けられていることで、割り箸を孔部に嵌入する際に、割り箸の溝を溝位置ガイド突起に係合させることで、確実に溝の位置と第一の溝切刃と前記第二の溝切刃の位置を整合させることができる。溝位置ガイド突起の作用により、割り箸に予め設けられている溝と異なった位置を溝切刃が切削することがない。溝位置ガイド突起は、割り箸の溝を誘導できる形状であればよく、例えば連続した三角柱の形状が考えられる。そしてこの溝位置ガイド突起は、孔部の開口部付近にのみではなく、孔部全体に設けられてもよい。この場合はより割り箸の嵌入作業が安定する。
【発明の効果】
【００１２】
本発明の割り箸の溝切器を使用した後に割り箸を割れば、割り箸が左右均等に割れる。さらに溝位置ガイド突起があれば、より正確に溝を切削できる。
【図面の簡単な説明】
【００１３】
【図１】本発明の第１実施例の斜視図である。
【図２】本発明の第１実施例の正面図である。
【図３】本発明の第１実施例の溝切刃付近の断面図である。
【図４】本発明の第２実施例の斜視図である。
【図５】本発明の第２実施例の拡大正面図である。
【図６】本発明の第２実施例の溝切刃付近の拡大断面図である。
【図７】本発明の第３実施例の斜視図である。
【図８】本発明の第３実施例の溝切刃付近の断面図である。
【発明を実施するための形態】
【００１４】
以下、本発明の実施の形態について添付図面を参照して説明する。
【実施例】
【００１５】
（第１実施例）
図１〜図３は発明の第１実施例を示すものであって、図中、同一の符号を付した部分は同一物を表わしている。
【００１６】
先ず、図１と図２を用いて、本発明の第１実施例に係る割り箸の溝切器１の構成を説明する。
図１は、第１実施例の斜視図であり、図２は第１実施例の割り箸５０を嵌入する方向から見た正面図である。
この割り箸の溝切器１は直方体の本体部１０、本体部１０の中心付近を貫通する断面が略長方形の孔部２０、孔部２０の第一の内壁面１２と第二の内壁面１４に対向して設けられた第一の溝切刃３０と第二の溝切刃３２とから構成される。第一の溝切刃３０と第二の溝切刃３２は、割り箸５０に予め設けられた切り割５６を包含する仮想の分割平面５４が通過する位置に設けられている。本体部１０は上下半割で制作された後、接合されている。
【００１７】
図３は、第一の溝切刃３０と第二の溝切刃３２の配置を示すための断面図である。三角形をした第一の溝切刃３０と第二の溝切刃３２とが２．５ｍｍの先端間隔で設けられている。孔部２０に嵌入された割り箸５０が進行して、第一の溝切刃３０と第二の溝切刃３２を通過することにより、割り箸５０の結合部５８に予め設けられている溝５２がより深く切削される。割り箸５０が丁六型のように予め溝５２が設けられていない形状である場合は、割り箸５０の結合部５８に新たに溝が切削されることになる。
【００１８】
本体部１０は、杉、松等の木材、金属、合成樹脂等で形成される。第一の溝切刃３０と第二の溝切刃３２は、刃が割り箸５０の結合部５８が嵌入される側に形成されている限りその形状は限定されないが、先端が尖った略三角形の形状であれば、割り箸５０の進行に従って、第一の溝切刃３０と第二の溝切刃３２が根本から先端部に向けて徐々に割り箸５０の結合部５８に食い込んでいくことになり、割り箸５０の嵌入時の抵抗が少ない。
【００１９】
（第２実施例）  
次に図４と図５（割り箸の構造は図１参照）を用いて、本発明の第２実施例の構成と作用を説明する。
図４は、第２実施例の斜視図であり、図５は第２実施例の拡大正面図である。
この割り箸の溝切器１は円柱形の本体部１０、本体部１０の中心付近を貫通する断面が略長方形の孔部２０、孔部２０の深さ方向の中央付近に対向して設けられた第一の溝切刃３０と第二の溝切刃３２と孔部２０の開口部に割り箸の溝５２に係合して割り箸５０を内部に誘導するために設けられた溝位置ガイド突起４０とから構成される。
【００２０】
図６（割り箸の構造は図１参照）は、第一の溝切刃３０と第二の溝切刃３２及び溝位置ガイド突起４０の配置を示すための拡大断面図である。
溝位置ガイド突起４０に割り箸５０の溝５２が係合して割り箸５０の結合部５８が正確に第一の溝切刃３０と第二の溝切刃３２まで嵌入される。そして第一の溝切刃３０と第二の溝切刃３２の作用により割り箸５０の結合部５８に予め設けられている溝５２がより深く切削される。
【００２１】
（第３実施例）
続いて、図７と図８を用いて、本発明の第３実施例の構成と作用を説明する。
図７は、第３実施例の斜視図であり、図８は第３実施例の第一の溝切刃３０と第二の溝切刃３２の配置を示すための断面図である。第３実施例は、第１実施例と異なり孔部２０が本体部１０を貫通していない。そして第一の溝切刃３０と第二の溝切刃３２は、比較的孔部２０の開口部に近い位置に設けられている。
【００２２】
第３実施例では、孔部２０が本体部１０を貫通していないことから、本体部１０を孔部２０の開口部が上になるように置いた場合は、割り箸５０の結合部５８を止まるまで上から勢いよく嵌入することができる。そして、割り箸５０を切削した後の切りくずが散乱することがない。
【符号の説明】
【００２３】
１      割り箸の溝切器
１０    本体部
１２    第一の内壁面
１４    第二の内壁面
２０    孔部
３０    第一の溝切刃
３２    第二の溝切刃
４０    溝位置ガイド突起
５０    割り箸
５２    溝
５４    分割平面
５６    切り割
５８    結合部
【図１】
2020130241.tif 000003
【図２】
2020130241.tif 000004
【図３】
2020130241.tif 000005
【図４】
2020130241.tif 000006
【図５】
2020130241.tif 000007
【図６】
2020130241.tif 000008
【図７】
2020130241.tif 000009
【図８】
2020130241.tif 000010